(57)【要約】      （修正有）【課題】さまざまな筋肉のトレーニングに対するニーズを満たし、使用性を向上させた筋肉マッサージ装置を提供する。【解決手段】ケース、ケースに設けられた高頻度叩き部、及びケースに設けられた電気パルス部を備える筋肉マッサージ装置であり、筋肉マッサージ装置は、電気パルス部と高頻度叩き部を組み合わせて設けることにより、ＥＭＳ電気パルスマッサージと高周波振動マッサージを効果的に組み合わせ、ケースをスムーズに移行する左右対称構造とすることにより、多角度からマッサージを自在に行うことを可能とし、ブラケット固定部とモータマウントとの間にソフト緩衝部材が設けられることにより、動力の安定性を実現するとともに、騒音を効果的に低減させ、使用感を向上させる。【選択図】図１
0003230166.tif 000002
【実用新案登録請求の範囲】
【請求項１】
筋肉マッサージ装置であって、
ケースと、
前記ケースに設けられた高頻度叩き部と、
前記ケースに設けられた電気パルス部と、
前記ケースに設けられ、且つ高頻度叩き部及び電気パルス部に接続され、所定モードで作動するように、同時に作動できない高頻度叩き部及び電気パルス部を選択的に制御する制御部と、を備え、
前記ケースは、間隔を空けて設けられた第１握持部及び第２握持部を有し、前記電気パルス部は、
前記ケース内に設けられたパルス発生手段と、
前記第１握持部に設けられた第１電極片と、
前記第２握持部に設けられた第２電極片と、を備え、前記パルス発生手段は第１電極片と第２電極片を接続し、前記第１電極片及び第２電極片は、通電すると、人体の皮膚と接触するときにパルス電流出力を発生させ、
前記高頻度叩き部は、
少なくとも一部がケース外部に配置されたマッサージヘッドと、
前記ケース内に設けられ、マッサージヘッドに接続された往復駆動手段と、を備え、
往復駆動手段に対応する前記ケースの位置には、往復チャンネルが設けられ、前記往復駆動手段は、マッサージヘッドを駆動して往復チャンネルの軸方向において高頻度で往復移動させる、ことを特徴とする筋肉マッサージ装置。
【請求項２】
前記第１電極片及び第２電極片は、それぞれ前記第１握持部及び第２握持部の外側に設けられ、前記第１握持部及び第２握持部の内側には、人の指で把持するのに適した波状構造が設けられる、ことを特徴とする請求項１に記載の筋肉マッサージ装置。
【請求項３】
前記ケースは対応する第１端と第２端を有し、前記第１握持部及び第２握持部はケースの第１端に位置し、且つ間隔を空けて左右に設けられ、前記往復チャンネルはケースの第２端に位置し、前記ケースの外輪郭は、往復チャンネルの中心軸線に対して左右対称となる軸対称構造になっている、ことを特徴とする請求項２に記載の筋肉マッサージ装置。
【請求項４】
前記ケースの第１端には第１グリップ及び第２グリップが設けられ、前記第１グリップ及び第２グリップはそれぞれ前記第１握持部及び第２握持部となり、前記第１グリップと第２グリップとの間にケースの第１端に逃し切り欠きが形成され、前記ケースの第１端に逃し切り欠きにマッサージヘッドに対応する第３握持部が形成されている、ことを特徴とする請求項３に記載の筋肉マッサージ装置。
【請求項５】
前記往復駆動手段は、
前記ケース内に固設され、モータ本体及びモータ本体から張り出した回転可能なモータ軸を備え、前記モータ軸の中心軸線が往復チャンネルの中心軸線に垂直であるモータと、
前記モータ軸に固定して接続され、モータ本体から離れた一方側に偏心軸が設けられ、前記偏心軸の中心軸線が、モータ軸の中心軸線に平行であり、且つモータ軸の中心軸線から離間している偏心ホイールと、
第１連動端及び第２連動端を有し、前記第１連動端が前記偏心軸に回動可能に接続された連動ロッドと、
第１伝動端及び第２伝動端を有し、第１伝動端が前記連動ロッドの第２連動端に固定して接続され、前記マッサージヘッドが第２伝動端に固定して接続され、少なくとも一部が往復チャンネル内に配置され、且つモータにより駆動されて往復チャンネルの軸方向において往復移動し得る往復部材と、を備える、ことを特徴とする請求項４に記載の筋肉マッサージ装置。
【請求項６】
前記往復駆動手段は、前記モータをケース内に固定するモータブラケットをさらに備え、
前記モータブラケットは、
モータ収容室及びモータ軸貫通孔を有し、内輪郭がモータ本体の外輪郭と一致し、モータ軸が前記モータ軸貫通孔を通り抜けるモータ収容部と、
ブラケット固定部と、を備え、
前記ケース内にはモータマウントが設けられ、前記モータブラケットはブラケット固定部を介してモータマウントに固定され、前記ブラケット固定部とモータマウントとの間にはソフト緩衝部材が設けられる、ことを特徴とする請求項５に記載の筋肉マッサージ装置。
【請求項７】
前記ブラケット固定部とモータマウントは嵌合してロック構造が設けられており、前記ロック構造は、
ブラケット固定部に設けられた少なくとも１つの第１ロック開口と、
前記モータマウントに設けられた少なくとも１つの第２ロック開口と、を備え、前記第１ロック開口と第２ロック開口は、位置が対応しており、且つ互いに当接する、ことを特徴とする請求項６に記載の筋肉マッサージ装置。
【請求項８】
前記電気パルス部は、パルス発生手段に接続された第１電気パルスインターフェース及び第２電気パルスインターフェースをさらに備え、前記第１電気パルスインターフェース及び第２電気パルスインターフェースは、外部電極片に接続されて、外部電極片にパルス電流出力を供給する、ことを特徴とする請求項４に記載の筋肉マッサージ装置。
【請求項９】
制御部に接続された給電部をさらに備え、前記給電部は、
前記ケース内に設けられた充電式バッテリと、
前記充電式バッテリに接続された電力入力インターフェースと、
前記充電式バッテリに接続された電力出力インターフェースと、を備える、ことを特徴とする請求項４に記載の筋肉マッサージ装置。
【請求項１０】
前記制御部は、
主制御部と、
主制御部に接続された命令部と、
主制御部に接続された表示部と、を備え、
前記主制御部は、
電気パルス部の作動を制御するための電気パルス制御モジュールであって、パルス電流の出力方式で表される電気パルス作動モードが少なくとも１つ予め設定されており、前記電気パルス作動モードごとに、パルス電流の出力強度で表される電気パルス作動レンジが複数設定されている電気パルス制御モジュールと、
高頻度叩き部の作動を制御するための高頻度叩き制御モジュールであって、マッサージヘッドの叩き方式で表される高頻度叩き作動モードが少なくとも１つ予め設定されており、前記高頻度叩き作動モードごとに、マッサージヘッドの叩き頻度で表される高頻度叩き作動レンジが複数設定されている高頻度叩き制御モジュールと、を備え、
前記命令部は、
前記電気パルス制御モジュール又は高頻度叩き制御モジュールを起動制御し、前記電気パルス制御モジュール又は高頻度叩き制御モジュールを制御して所定の作動モードで作動させるモード切り替えモジュールと、
前記電気パルス制御モジュール又は高頻度叩き制御モジュールの現在の作動モードでの作動レンジを調整するためのレンジ調整モジュールと、を備え、
前記表示部は、
現在選択されている作動モードを表示するための作動モード表示モジュールと、
現在のモードでの作動パラメータを表示するための作動パラメータ表示モジュールと、を備える、ことを特徴とする請求項４に記載の筋肉マッサージ装置。
【考案の詳細な説明】
【技術分野】
【０００１】
本願は、筋肉トレーニング機器の技術分野に関し、特に筋肉マッサージ装置に関する。
【背景技術】
【０００２】
社会の発展に伴い、体調の改善に注目する人が増え、スポーツやフィットネに参加する人も増えている。スポーツやフィットネスの後は、通常、スポーツやフィットネスの効果を改善し維持するために筋肉をリラックスさせる必要があり、そのため、筋膜ガンが開発された。従来のフォームローラーと比較して、筋膜ガンは筋膜をより深く正確にリラックスさせることができる。
【０００３】
従来の筋膜ガンは機能が単一であるため、さまざまな筋肉のトレーニングに対する人々のニーズを満たすことができず、また、従来の筋膜ガンは、ハンドルとハンドルに垂直又は略垂直に設置されたマッサージヘッドとを備えるガン型構造を持っており、このようなガン型構造の制限により、従来の筋膜ガンは大きくて重く、その使用性から柔軟性が不十分である。
【考案の概要】
【考案が解決しようとする課題】
【０００４】
本願は、上記技術的課題の１つを少なくともある程度解决することを目的とする。
【課題を解決するための手段】
【０００５】
本願は、
ケースと、
前記ケースに設けられた高頻度叩き部と、
前記ケースに設けられた電気パルス部と、
前記ケースに設けられ、且つ高頻度叩き部及び電気パルス部に接続され、所定モードで作動するように、同時に作動できない高頻度叩き部及び電気パルス部を選択的に制御する制御部と、を備え、
前記ケースは、間隔を空けて設けられた第１握持部及び第２握持部を有し、前記電気パルス部は、
前記ケース内に設けられたパルス発生手段と、
前記第１握持部に設けられた第１電極片と、
前記第２握持部に設けられた第２電極片と、を備え、前記パルス発生手段は第１電極片と第２電極片を接続し、前記第１電極片及び第２電極片は、通電すると、人体の皮膚と接触するときにパルス電流出力を発生させ、
前記高頻度叩き部は、
少なくとも一部がケース外部に配置されたマッサージヘッドと、
前記ケース内に設けられ、マッサージヘッドに接続された往復駆動手段と、を備え、
往復駆動手段に対応する前記ケースの位置には、往復チャンネルが設けられ、前記往復駆動手段は、マッサージヘッドを駆動して往復チャンネルの軸方向において高頻度で往復移動させる筋肉マッサージ装置を提供する。
【０００６】
さらに、前記第１電極片及び第２電極片は、それぞれ前記第１握持部及び第２握持部の外側に設けられ、前記第１握持部及び第２握持部の内側には、人の指で把持するのに適した波状構造が設けられる。
【０００７】
さらに、前記ケースは対応する第１端と第２端を有し、前記第１握持部及び第２握持部はケースの第１端に位置し、且つ間隔を空けて左右に設けられ、前記往復チャンネルはケースの第２端に位置し、前記ケースの外輪郭は、往復チャンネルの中心軸線に対して左右対称となる軸対称構造になっている。
【０００８】
さらに、前記ケースの第１端には第１グリップ及び第２グリップが設けられ、前記第１グリップ及び第２グリップはそれぞれ前記第１握持部及び第２握持部となり、前記第１グリップと第２グリップとの間にケースの第１端に逃し切り欠きが形成され、前記ケースの第１端に逃し切り欠きにマッサージヘッドに対応する第３握持部が形成されている。
【０００９】
さらに、前記往復駆動手段は、
前記ケース内に固設され、モータ本体及びモータ本体から張り出した回転可能なモータ軸を備え、前記モータ軸の中心軸線が往復チャンネルの中心軸線に垂直であるモータと、
前記モータ軸に固定して接続され、モータ本体から離れた一方側に偏心軸が設けられ、前記偏心軸の中心軸線が、モータ軸の中心軸線に平行であり、且つモータ軸の中心軸線から離間している偏心ホイールと、
第１連動端及び第２連動端を有し、前記第１連動端が前記偏心軸に回動可能に接続された連動ロッドと、
第１伝動端及び第２伝動端を有し、第１伝動端が前記連動ロッドの第２連動端に固定して接続され、前記マッサージヘッドが第２伝動端に固定して接続され、少なくとも一部が往復チャンネル内に配置され、且つモータにより駆動されて往復チャンネルの軸方向において往復移動し得る往復部材と、を備える。
【００１０】
さらに、前記往復駆動手段は、前記モータをケース内に固定するモータブラケットをさらに備え、
前記モータブラケットは、
モータ収容室及びモータ軸貫通孔を有し、内輪郭がモータ本体の外輪郭と一致し、モータ軸が前記モータ軸貫通孔を通り抜けるモータ収容部と、
ブラケット固定部と、を備え、
前記ケース内にはモータマウントが設けられ、前記モータブラケットはブラケット固定部を介してモータマウントに固定され、前記ブラケット固定部とモータマウントとの間にはソフト緩衝部材が設けられる。
【００１１】
さらに、前記ブラケット固定部とモータマウントは嵌合してロック構造が設けられており、前記ロック構造は、
ブラケット固定部に設けられた少なくとも１つの第１ロック開口と、
前記モータマウントに設けられた少なくとも１つの第２ロック開口と、を備え、前記第１ロック開口と第２ロック開口は、位置が対応しており、且つ互いに当接する。
【００１２】
さらに、前記電気パルス部は、パルス発生手段に接続された第１電気パルスインターフェース及び第２電気パルスインターフェースをさらに備え、前記第１電気パルスインターフェース及び第２電気パルスインターフェースは、外部電極片に接続されて、外部電極片にパルス電流出力を供給する。
【００１３】
さらに、前記筋肉マッサージ装置は、制御部に接続された給電部をさらに備え、前記給電部は、
前記ケース内に設けられた充電式バッテリと、
前記充電式バッテリに接続された電力入力インターフェースと、
前記充電式バッテリに接続された電力出力インターフェースと、を備える。
【００１４】
さらに、前記制御部は、
主制御部と、
主制御部に接続された命令部と、
主制御部に接続された表示部と、を備え、
前記主制御部は、
電気パルス部の作動を制御するための電気パルス制御モジュールであって、パルス電流の出力方式で表される電気パルス作動モードが少なくとも１つ予め設定されており、前記電気パルス作動モードごとに、パルス電流の出力強度で表される電気パルス作動レンジが複数設定されている電気パルス制御モジュールと、
高頻度叩き部の作動を制御するための高頻度叩き制御モジュールであって、マッサージヘッドの叩き方式で表される高頻度叩き作動モードが少なくとも１つ予め設定されており、前記高頻度叩き作動モードごとに、マッサージヘッドの叩き頻度で表される高頻度叩き作動レンジが複数設定されている高頻度叩き制御モジュールと、を備え、
前記命令部は、
前記電気パルス制御モジュール又は高頻度叩き制御モジュールを起動制御し、前記電気パルス制御モジュール又は高頻度叩き制御モジュールを制御して所定の作動モードで作動させるモード切り替えモジュールと、
前記電気パルス制御モジュール又は高頻度叩き制御モジュールの現在の作動モードでの作動レンジを調整するためのレンジ調整モジュールと、を備え、
前記表示部は、
現在選択されている作動モードを表示するための作動モード表示モジュールと、
現在のモードでの作動パラメータを表示するための作動パラメータ表示モジュールと、を備える。
【考案の効果】
【００１５】
本願の有益な効果は以下のとおりである。ケースに電気パルス部と高頻度叩き部を組み合わせて設けることにより、ＥＭＳ電気パルスマッサージと高周波振動マッサージとを効果的に組み合わせ、パルス発生手段により人体に適した電気パルスを発生させ、人体がこのような電流信号を人体の生体電気信号として認識し、それにより筋肉が刺激されて収縮し、浅層筋肉と深層筋肉の両方をトレーニングし、また、マッサージヘッドの振動により筋肉の筋膜に衝撃を与えることで、運動、仕事や生活による疲労に起因して生じた大量のクレアチンを消散させ、血液の循環を促進し、筋肉のリラックス、マッサージ及びトレーニングを実現し、マシン全体として強力で、実用性がより高く、ケースをスムーズに移行するような左右対称構造とすることにより、多角度からマッサージを自在に行うことを可能とし、ブラケット固定部とモータマウントとの間にソフト緩衝部材を設けることにより、動力の安定性を実現するとともに、騒音を効果的に低減させ、使用感を向上させる。
【図面の簡単な説明】
【００１６】
【図１】本願の筋肉マッサージ装置の平面視での平面構造模式図である。
【図２】本願の筋肉マッサージ装置の背面視での平面構造模式図である。
【図３】本願の筋肉マッサージ装置の左面視での平面構造模式図である。
【図４】本願の筋肉マッサージ装置の立体構造模式図である。
【図５】本願の筋肉マッサージ装置の分解構造模式図である。
【図６】フロントケースを取り外した本願の筋肉マッサージ装置の立体構造模式図である。
【図７】本願の高頻度叩き部の立体構造模式図である。
【考案を実施するための形態】
【００１７】
以下、本願の実施例を詳細に説明する。前記実施例を例示的に図面に示すが、図面を通じて同一又は類似の符号は、同一又は類似の要素又は同一又は類似の機能を有する要素を示す。以下、図面を参照しながら説明する実施例は例示的なものに過ぎず、本願を解釈することを目的としており、本願の制限として理解することはできない。
【００１８】
なお、本願の説明において、用語「中心」、「縦方向」、「横方向」、「長さ」、「幅」、「厚さ」、「上」、「下」、「前」、「後」、「左」、「右」、「垂直」、「水平」、「頂」、「底」、「内」、「外」、「時計回り」、「反時計回り」などにより示される方位又は位置関係は図面に示される方位又は位置関係に基づくものであり、本願の説明のし易さ及び簡素化のために過ぎず、当該装置又は要素が必ずしも特定の方位を有したり、特定の方位で構造・操作されたりすることを指示又は示唆するものではなく、このため、本願の制限として理解することはできない。
【００１９】
さらに、用語「第１」、「第２」は説明するために過ぎず、相対的な重要性を指示又は暗示するか、又は係る技術的特徴の数を暗黙的に示すものとして理解することはできない。それによって、「第１」、「第２」により限定される特徴は、１つ又は複数のこの特徴を明示的又は暗黙的に含むことができる。本願の説明では、別途明らかに限定しない限り、「複数」は２つ以上を意味する。
【００２０】
本願では、特に明確な規定や限定がない限り、用語「取り付け」、「連結」、「接続」、「固定」などの用語は広義に理解すべきであり、例えば、固定して接続されてもよく、取り外し可能に接続されてもよく、一体に接続されてもよい。機械的に接続されてもよく、電気的に接続されてもよい。直接連結してもよく、中間媒体を介して間接的に連結してもよく、２つの要素の内部が連通してもよい。当業者であれば、具体的な状況に応じて上記用語の本願での具体的な意味を理解できる。
【００２１】
本願では、特に明確な規定や限定がない限り、第１特徴が第２特徴の「上」又は「下」にある場合、第１及び第２特徴が直接接触してもよく、第１及び第２特徴が直接接触するのではなく、これらの間にある別の特徴を介して接触してもよく、一方、第１特徴が第２特徴「の上」、「上方」及び「上」にある場合、第１特徴が第２特徴の真上及び斜上にあるか、又は第１特徴の水平面からの高さが第２特徴のそれよりも高いことを意味し、第１特徴が第２特徴「の下」、「下方」及び「下」にある場合、第１特徴が第２特徴の真下及び斜下にあるか、又は第１特徴の水平面からの高さが第２特徴のそれよりも低いことを意味する。
【００２２】
以下、特定の実施形態にて図面を参照しながら本願をさらに詳細に説明する。
【００２３】
図１〜７に示すように、本願は、筋肉マッサージ装置を提供し、前記筋肉マッサージ装置は、ケースと、前記ケースに設けられた電気パルス部、高頻度叩き部、制御部及び給電部と、を備える。前記ケースは、嵌合するように接合されたフロントケース１１及びリアケース１２を備え、前記フロントケース１１とリアケース１２との間には、ケースの内部空間が形成されている。
【００２４】
前記電気パルス部は、ＥＭＳ電気パルスマッサージの技術原理を利用して、人体へマイクロ電流信号を伝達することで、人体の筋肉を刺激して運動収縮を発生させ、それによって、人体の筋肉のトレーニング効果を高めるという目的を達成する。前記ＥＭＳとは、英語「Ｅｌｅｃｔｒｏｎｉｃ  Ｍｕｓｃｌｅ  Ｓｔｉｍｕｌａｔｉｏｎ」の略語であり、つまり、電気筋肉刺激技術である。
【００２５】
前記電気パルス部は、パルス発生手段、第１電極片２１及び第２電極片２２を備える。前記パルス発生手段はケースの内部に設けられ、前記第１電極片２１と第２電極片２２は間隔を空けて設けられ、且つケースに固設される。前記パルス発生手段はパルス電流を発生させることに用いられ、前記第１電極片２１及び第２電極片２２はパルス発生手段に接続され、通電状態で人体の皮膚と接触するときに人体へパルス電流を出力する。
【００２６】
本実施例では、前記ケースは、間隔を空けて設けられた第１握持部１０１及び第２握持部１０２を有し、前記第１電極片２１は前記第１握持部１０１の箇所に設けられ、前記第２電極片２２は前記第２握持部１０２の箇所に設けられる。前記第１握持部１０１及び第２握持部１０２は、使用者の左手と右手で把持され、使用者の左手と右手がそれぞれ前記第１握持部１０１及び第２握持部１０２を握るとき、使用者の左手と右手はそれぞれ第１電極片２１及び第２電極片２２に直接接触する。
【００２７】
前記電気パルス部２０の使用性能をさらに高めるために、前記電気パルス部は、パルス発生手段に接続された第１電気パルスインターフェース２３及び第２電気パルスインターフェース２４をさらに備え、前記第１電気パルスインターフェース２３及び第２電気パルスインターフェース２４は、外部電極片に接続され、それにより外部電極片へパルス電流を出力する。
【００２８】
図７に示すように、前記高頻度叩き部はマッサージヘッド３１及び往復駆動手段を備える。前記マッサージヘッド３１は、人体と直接接触するように、少なくとも一部がケースの外部に配置される。前記往復駆動手段は、ケースの内部に設けられ、且つマッサージヘッド３１に接続され、前記往復駆動手段は、マッサージヘッド３１を駆動して高頻度で往復移動させることにより、人体の筋肉筋膜を深く叩いてマッサージする。本実施例では、前記マッサージヘッド３１は往復駆動手段に取り外し可能に接続される。
【００２９】
具体的には、前記マッサージヘッド３１は、人体と直接接触するマッサージ端、及び往復駆動手段３２に固定して接続された固定端を有する。好ましくは、前記マッサージヘッド３１は複数設けられ、複数の前記マッサージヘッド３１の構造は、前記マッサージヘッド３１を使用者の使用ニーズに合わせて交換できるように、完全に同じであるか、部分的に同じであるか、又は完全に異なるようにしてもよい。具体的に実施するとき、前記マッサージヘッド３１は、具体的には、マッサージ端が球体構造の球形マッサージヘッド、円錐構造の円錐状マッサージヘッド、平面構造のフラットマッサージヘッド、フォーク形状のフォーク状マッサージヘッドなどとして設置されてもよい。ただし、本願では、マッサージヘッド３１の構造をすべて挙げるのではなく、前記マッサージヘッド３１は、人体の筋肉を押して叩くことができる任意の従来のマッサージヘッド構造を取ってもよく、本願で挙げられた実施例に制限されない。もちろん、いくつかの実施例では、前記マッサージヘッド３１は１つだけ設けられてもよい。
【００３０】
本願の実施例の図面は、前記マッサージヘッド３１のマッサージ端が球体構造であるものを例としている。前記マッサージヘッド３１のマッサージ端が球体構造とされている場合、前記マッサージヘッド３１のマッサージ端は、全体として一定の硬さを有する柔性材料で製造されるか、前記マッサージヘッド３１のマッサージ端は、少なくとも外面に一定の厚さを有するソフト緩衝層が被覆されており、このようにして、前記マッサージヘッド３１の使用時の快適性を高める。
【００３１】
前記往復駆動手段は、モータ３２１、偏心ホイール３２２、連動ロッド３２３及び往復部材３２４を備える。
【００３２】
前記モータ３２１はケースの内部に固設され、前記モータ３２１はモータ本体から張り出した回転可能なモータ軸を有する。本実施例では、前記モータ３２１としては、摩擦力が小さく、スムーズに作動でき、騒音が低いブラシレスモータが好ましく使用される。前記偏心ホイール３２２には枢接孔が設けられ、前記偏心ホイール３２２は枢接孔を介してモータ軸に固定して接続され、前記偏心ホイール３２２はモータ軸の回転に連動して回転可能である。前記偏心ホイール３２２のモータ本体から離れた一方側には偏心軸が設けられ、前記偏心軸の中心軸線は、モータ軸の中心軸線に平行であり、且つモータ軸の中心軸線から離間している。前記連動ロッド３２３は、第１連動端及び第２連動端を有し、前記第１連動端は偏心軸に回動可能に接続される。前記往復部材３２４は第１伝動端及び第２伝動端を有し、前記往復部材３２４の第１伝動端は連動ロッド３２３の第２連動端に固定して接続され、前記マッサージヘッド３１は往復部材３２４の第２伝動端に固定して接続される。前記モータ３２１に通電すると、前記モータ本体はモータ軸を回転駆動し、偏心ホイール３２２は前記モータ軸に連動して回転し、前記偏心ホイール３２２の偏心軸に枢接される連動ロッド３２３は偏心ホイール３２２の回転に連動して往復移動し、さらに前記往復部材３２４は往復移動するように駆動され、最終的に前記マッサージヘッド３１は往復移動する。
【００３３】
往復駆動手段に対応する前記ケースの位置には往復チャンネルが設けられ、前記モータ軸の中心軸線は往復チャンネルの中心軸線に垂直である。前記往復部材３２４は、少なくとも一部が往復チャンネル内に配置され、且つモータ３２１により駆動されて、往復チャンネル内で往復チャンネルの軸方向に沿って往復移動することができる。
【００３４】
本実施例では、前記往復部材３２４は円柱体構造として設置され、前記往復部材３２４の第１伝動端は、往復部材３２４の軸方向において固定タブ３２４１が設けられ、前記往復部材３２４は、固定タブ３２４１を介して連動ロッド３２３の第２連動端に固定して接続される。前記ケースは、往復部材３２４に対応する位置に往復孔が設けられ、前記往復孔内には往復案内部材４０が設けられ、前記往復案内部材４０には円柱形貫通孔４１が設けられ、前記円柱形貫通孔４１は前記往復チャンネルを構成する。
【００３５】
さらに、図７に示すように、前記往復駆動手段は、モータ３２１をケースの内部に固定するためのモータブラケット３２５をさらに備える。
【００３６】
前記モータブラケット３２５は、モータ収容部及びブラケット固定部を備える。
【００３７】
前記モータ収容部は、内部へ窪んだモータ収容室を有し、前記モータ収容室の中央部にはモータ軸貫通孔が設けられる。前記モータ収容室の内輪郭がモータ本体の外輪郭と一致し、モータ３２１のモータ軸は前記モータ軸貫通孔を通り抜け、前記モータ軸は、モータ軸貫通孔を通り抜けた後、偏心ホイール３２２に接続され、即ち、前記モータ３２１と偏心ホイール３２２はそれぞれ前記モータブラケット３２５の両側に設けられる。
【００３８】
前記ブラケット固定部はモータ収容部から延設されている。前記ケース内にはモータマウントが設けられ、前記モータブラケット３２５はブラケット固定部を介してモータマウントに固定して接続される。前記ケースは、モータ３２１に対応する位置に放熱孔８０が設けられている。
【００３９】
前記モータ３２１を安定化させ、前記モータ３２１の作動時に高周波振動を発生させることを回避するために、前記ブラケット固定部とモータマウントが嵌合してロック構造が設けられており、前記ロック構造は、前記ブラケット固定部に設けられた少なくとも１つの第１ロック開口、及び前記モータマウントに設けられた少なくとも１つの第２ロック開口を有し、前記第１ロック開口と第２ロック開口は、位置が対応しており、且つ固定すると互いに当接する。
【００４０】
前記モータ３２１の安定性をさらに高め、また前記モータ３２１の作動時の騒音を低減させるために、前記ブラケット固定部とモータマウントとの間にはソフト緩衝部材３２６が設けられている。前記ソフト緩衝部材３２６は、一定の厚さ及び弾性を有し、前記ブラケット固定部とモータマウントとの間に設けられて、前記ブラケット固定部とモータマウントとの直接接触を遮断し、それにより、前記ブラケット固定部とモータマウントとの間の衝撃及び摩擦を解消し、騒音を効果的に低減させ、それ自体の弾性緩衝性能を利用して前記モータ３２１の高頻度作動に対して効果的に減衰する。
【００４１】
前記高頻度叩き部は、往復駆動手段を通じてマッサージヘッド３１を正確、高周波数で深く振動駆動し、体のターゲット部位へ衝撃を与え、筋肉を介して筋膜に伝達して筋膜を刺激し、細胞の活性を高め、血液循環を促進し、さらに筋肉の回復を速め、乳酸を減少させ、筋肉の軟組織をリラックスさせる。
【００４２】
図１〜２に示すように、前記ケースは、対応する第１端１３１及び第２端１３２を有し、前記第１握持部１０１及び第２握持部１０２はケースの第１端１３１に位置し、前記往復孔はケースの第２端１３２に位置し、前記ケースの第１端１３１の長さはその第２端１３２の長さよりも長い。
【００４３】
図１、図２に示すように、以下、図１、図２に示す前記マッサージヘッド３１がケースの下方にあるときの配置角度を基準として、本願の筋肉マッサージ装置のケースの具体的な構造についてさらに詳しく説明する。
【００４４】
図２に示すように、本実施例では、図２には、最上端の水平点線に示されるケース端部は前記ケースの第１端１３１であり、前記ケースの本体部分１３０は略図２における点線で示される部分である。図２から分かるように、前記ケースの本体部分１３０は、略上部が広く下部が狭い逆台形構造である。前記ケースの本体部分１３０の上端の両外側はそれぞれ上へ延びて第１グリップ１４１及び第２グリップ１４２を形成し、前記第１グリップ１４１及び第２グリップ１４２はそれぞれ前記第１握持部１０１及び第２握持部１０２となる。前記第１電極片２１及び第２電極片２２は、それぞれ、前記第１グリップ１４１及び第２グリップ１４２の反対する両外側に設けられ、前記第１グリップ１４１及び第２グリップ１４２の対向する両内側には、スムーズに移行する波状構造１６０が設けられ、前記波状構造１６０は人の指による把持に適している。
【００４５】
前記ケースの外輪郭は、往復チャンネルの中心軸線に対して左右対称となる軸対称構造になっている。前記第１グリップ１４１と第２グリップ１４２は、間隔を空けて左右対称に設けられる。前記第１グリップ１４１と第２グリップ１４２の間にケースの第１端１３１に逃し切り欠き１５０が形成され、前記ケースの第１端１３１に逃し切り欠き１５０にマッサージヘッド３１に対応する第３握持部１０３が形成されている。前記第３握持部１０３は、高頻度叩き部が作動しているとき、使用者が片手で前記筋肉マッサージ装置を握持できるようにする。前記第３握持部１０３の表面には滑り止め構造が設けられるか、又は、少なくとも前記第３握持部１０３の外面に滑り止め材料が使用される。
【００４６】
本実施例では、前記ケースの外輪郭は全体としてスムーズに移行する。
【００４７】
前記給電部は、充電式バッテリ５１、電力入力インターフェース５２及び電力出力インターフェース５３を備える。
【００４８】
前記充電式バッテリ５１はケースの内部に設けられ、前記ケースの内部には、充電式バッテリ５１を固定するためのバッテリーホルダーが設けられる。前記電力入力インターフェース５２は、充電式バッテリ５１に接続されて、前記充電式バッテリ５１に充電する。前記電力出力インターフェース５３は、充電式バッテリ５１に接続されて、前記充電式バッテリ５１を用いて外部電子機器へ電力を供給することに用いられる。
【００４９】
本実施例では、前記給電部の充電入力は５Ｖ／２Ａ、９Ｖ／２Ａ又は１２Ｖ／１．５Ａであってもよく、前記給電部の充電パワーは１０Ｗ未満であり、前記充電式バッテリのバッテリ給電容量は２０００Ｍａｈである。もちろん、別の実施例では、前記給電部は、一般的なバッテリ、例えば、４本の１６．８Ｖの一般的なバッテリを用いて給電してもよい。
【００５０】
前記制御部は、主制御部、主制御部に接続された命令部、及び主制御部に連結される表示部を備える。
【００５１】
前記主制御部は、電気パルス部の作動を制御するための電気パルス制御モジュール、高頻度叩き部の作動を制御するための高頻度叩き制御モジュール、及び、給電部の作動を制御するための電力制御モジュールを備える。
【００５２】
前記電気パルス制御モジュールは、パルス電流の出力方式で表わされる電気パルス作動モードが少なくとも１つ予め設定されており、また、前記電気パルス作動モードごとに、パルス電流の出力強度で表される複数の電気パルス作動レンジが設けられる。
【００５３】
前記高頻度叩き制御モジュールは、マッサージヘッドの叩き方式で表される高頻度叩き作動モードが少なくとも１つ予め設定されており、前記マッサージヘッドの叩き方式は、モータ３２１の作動方式で実現され、また、前記高頻度叩き作動モードごとに、マッサージヘッドの叩き頻度で表される高頻度叩き作動レンジが複数設けられ、前記マッサージヘッドの叩き頻度はモータ３２１の回転数により制御される。
【００５４】
本実施例では、前記筋肉マッサージ装置の待機時消費電力は５０ｕＡ未満であり、前記筋肉マッサージ装置の作動温度は−１０〜４０℃であり、前記電気パルス部のパルス周波数は７Ｋであり、前記電気パルス部のパルス電圧は２００Ｖ未満である。前記電気パルス制御モジュールは、電気パルス部については、６種類の異なる電気パルス作動モード及び１５種類の強度出力が異なる電気パルス作動レンジを設定し、前記高頻度叩き制御モジュールは、高頻度叩き部については、１種の高頻度叩き作動モードを設定している。もちろん、別の実施例では、前記電気パルス制御モジュール、高頻度叩き制御モジュールは、実際のニーズに応じて、他の数の作動モード及び作動レンジを設定してもよい。
【００５５】
前記命令部は、モード切り替えモジュール及びレンジ調整モジュールを備える。前記モード切り替えモジュールは、前記電気パルス制御モジュール又は高頻度叩き制御モジュールの起動を制御し、前記電気パルス制御モジュール又は高頻度叩き制御モジュールを制御して所定の作動モードで作動させ、前記レンジ調整モジュールは、前記電気パルス制御モジュール又は高頻度叩き制御モジュールの現在の作動モードでの作動レンジを調整することに用いられ、前記レンジ調整モジュールは、作動強度強化命令及び作動強度低減命令を含む。
【００５６】
前記表示部は、作動モード表示モジュール、作動パラメータ表示モジュール及び残量表示モジュールを備える。
【００５７】
前記作動モード表示モジュールは、現在選択されている作動モードを表示することに用いられ、前記作動モード表示モジュールは、コード表示モジュール及び発光表示モジュールを備える。前記コード表示モジュールは、数字コード及び／又はアルファベットコードを用い得る。本実施例では、前記電気パルス制御モジュールを表示するための英語コード「ＥＭＳ」、及び高頻度叩き制御モジュールを表示するための英語コード「ＭＡＳＳＡＧＥ」が予め設定され、前記電気パルス制御モジュールが起動されると、前記英語コード「ＥＭＳ」が点灯し、前記高頻度叩き制御モジュールが起動されると、前記英語コード「ＭＡＳＳＡＧＥ」が点灯する。また、前記筋肉マッサージ装置では、第１電極片２１及び第２電極片２２に対応する位置には、１組の発光部がそれぞれ設けられ、前記発光部は発光回路基板７１及び導光板７２を備え、前記発光部は、発光表示モジュールに接続されて、発光表示モジュールにより作動を制御される。本実施例では、前記発光部は、第１電極片２１及び第２電極片２２に設けられ、前記導光板は、第１電極片２１及び第２電極片２２の外周に導光領域を形成し、前記発光回路基板７１におけるＬＥＤ灯は２種類の異なる色の光、例えば、青色光、白色光を発光し、前記電気パルス制御モジュールが起動されると、前記発光部は、第１電極片２１及び第２電極片２２の外周に青色光を投射し、前記高頻度叩き制御モジュールが起動されると、前記発光部は、第１電極片２１及び第２電極片２２の外周に白色光を投射する。なお、別の実施例では、前記ＬＥＤ灯の発光色は、従来の任意の２種類の色に設定することができ、本願で挙げられた実施例に制限されず、前記発光部が設けられた位置は、実際の設計のニーズに応じて調整することができ、例えば、前記第１グリップ１４１及び第２グリップ１４２の端部に設けられる。
【００５８】
前記作動パラメータ表示モジュールは、現在の作動モードでの作動パラメータ、例えば、作動レンジなどの情報を表示することに用いられる。前記残量表示モジュールは、給電部の作動情報、例えば、充電式バッテリ５１の作動状態、現在の残量などの情報を表示することに用いられる。
【００５９】
本実施例では、前記ケースの内部には、主制御回路基板６０が設けられ、前記制御部、パルス発生手段、第１電気パルスインターフェース２３、第２電気パルスインターフェース２４、電力入力インターフェース５２及び電力出力インターフェース５３はすべてこの主制御回路基板６０に設けられ、前記発光回路基板７１は主制御回路基板６０に接続される。前記主制御回路基板６０には、命令部へ制御命令を送信するボタン６１が設けられ、前記ケースでは、ボタン６１に対応する位置には、ボタン孔が設けられ、且つボタンケース６２が設けられる。本実施例の前記ボタン６１は、合計４個設けられ、それぞれオン・オフボタン、モード切り替えボタン、レンジアップボタン及びレンジダウンボタンである。前記ケースの内部には、表示部に接続された表示画面６３がさらに設けられ、前記ケースでは、表示画面６３に対応する位置に表示孔が設けられ、且つ表示パネル６４が設けられ、前記表示画面６３及び表示パネル６４は表示画面固定座６５を介してケースに固定して接続される。本実施例では、前記表示画面６３は、逃し切り欠き１５０のケース中央部に設けられる。前記第１電気パルスインターフェース２３、第２電気パルスインターフェース２４、電力入力インターフェース５２及び電力出力インターフェース５３は同一領域に設けられ、前記ケースでは、上記インターフェースデバイスに対応する位置に差し込み孔が設けられ、前記インターフェースデバイスの差し込み端はケースの外部に露出し、前記ケースでは、差し込み孔に対応する位置には、インターフェースカバー６６がさらに設けられ、前記インターフェースカバー６６は前記差し込み孔を開放又は閉鎖することができる。
【００６０】
以下、本願の筋肉マッサージ装置の一実施例を参照して、本願の筋肉マッサージ装置の使用方法をさらに詳細に説明する。
【００６１】
前記筋肉マッサージ装置は非充電モードで使用され、前記高頻度叩き部及び電気パルス部は同時に作動していけない。
【００６２】
前記オン・オフボタンが押されるたびに、前記制御部と給電部がオンになり、起動させると前記高頻度叩き制御モジュールはデフォルトで起動し、前記高頻度叩き制御モジュールを表わす英語コード「ＭＡＳＳＡＧＥ」が点灯し、前記発光部は、第１電極片２１及び第２電極片２２の外周に白色光を投射する。もちろん、別の一実施例では、起動時にデフォルトで起動する項目については、電気パルス制御モジュールとしてもよい。
【００６３】
前記モード切り替えボタンが長押しされると、前記モード切り替えモジュールは、電気パルス制御モジュールを制御して起動させ、前記電気パルス制御モジュールを示す英語コード「ＥＭＳ」が点灯し、前記発光部は第１電極片２１及び第２電極片２２の外周に青色光を投射する。同様に、前記電気パルス制御モジュールから高頻度叩き制御モジュールに切り替える必要がある場合、前記モード切り替えボタンを長押しすればよい。
【００６４】
前記高頻度叩き制御モジュールでは、前記表示画面６３は、高頻度叩き制御モジュールにより現在選択されている作動モード及び作動パラメータを表示し、前記表示画面６３の右側に現在の作動モードでのマッサージ強度を表示するように、前記レンジ調整モジュールにより高頻度叩き制御モジュールの現在の作動モードでの作動レンジを調整することができるように、前記表示画面６３に表示されている高頻度叩き制御モジュールの強度が０であり、且つ３０秒間持続すると、前記制御部が自動的にシャットダウンするように、前記高頻度叩き制御モジュールが作動状態を１５分間持続すると、前記制御部が自動的にシャットダウンするように設定されてもよい。
【００６５】
前記電気パルス制御モジュールでは、前記表示画面６３は電気パルス制御モジュールにより現在選択されている作動モード及び作動パラメータを表示し、前記表示画面６３の左側に現在の電気パルス制御モジュールの作動モードを表示し、右側に現在の作動モードでの作動レンジ、即ち、マッサージ強度を表示するように、必要に応じて前記モード切り替えボタン、レンジアップボタン又はレンジダウンボタンを短く押すと、前記電気パルス制御モジュールの作動モードと強度を切り替えることができ、選択状態では前記表示画面６３の対応する表示モジュールが明滅し、設定完了後、５秒間後自動的に確認し、前記表示画面６３の対応する表示モジュールが明滅を停止するように、前記表示画面６３に表示されている電気パルス制御モジュールの強度が０であり、且つ３０秒間持続すると、前記制御部が自動的にシャットダウンするように、前記電気パルス制御モジュールの作動状態では、人の左手と右手が前記第１電極片２１及び第２電極片２２に接触すると、前記英語コード「ＥＭＳ」は常に点灯する状態にあり、人の左手と右手が前記第１電極片２１及び第２電極片２２から離れてから３０秒間経過すると、前記制御部が自動的にシャットダウンするように設定されている。
【００６６】
無人操作を行わずに、前記制御部を３０分以上オン状態にすると、前記制御部は自動的にシャットダウンする。
【００６７】
残量通知及び残量低下の通知
前記表示画面６３には、充電式バッテリ５１が充電状態であることを示すための充電指示灯、及び前記充電式バッテリ５１の残量を示す残量指示灯があり、前記電力入力インターフェース５２にデータラインを挿入して充電式バッテリ５１を充電するとき、前記充電指示灯及び残量指示灯だけが点灯し、残りのすべてのボタン及び機能がオフになり、前記充電式バッテリ５１が給電するとき、前記残量指示灯が現在の残量を表示し、作動状態では、前記充電式バッテリ５１の残量が１０％未満になると、前記残量指示灯がすばやく点滅し、前記充電式バッテリ５１の残量が１％未満になると、自動的にシャットダウンし、前記充電式バッテリ５１の残量が５％よりも高く充電されている場合にのみ、起動する。
【００６８】
本明細書の説明では、用語「一実施形態」、「いくつかの実施形態」、「一実施例」、「いくつかの実施例」、「例示」、「具体例」、又は「いくつかの例」などを参照しながら行われる説明は、この実施例又は例で説明される具体的な特徴、構造、材料又は特徴が本願の少なくとも１つの実施例又は例に含まれることを意図する。本明細書の説明では、上記用語の模式的な記述は、同じ実施例又は例を示すとは限らない。さらに、説明の具体的な特徴、構造、材料又は特徴は、任意の１つ又は複数の実施例又は例において適切な方式で組み合わせることができる。
【００６９】
以上の内容は、具体的な実施形態を参照しながら本願について行われるさらなる詳細な説明であり、本願の具体的な実施がこれらの説明に限定されるとは見なされない。当業者であれば、本願の構想を逸脱することなく、いくつかの簡単な推論や置換を行うことができる。
【図１】
0003230166.tif 000003
【図２】
0003230166.tif 000004
【図３】
0003230166.tif 000005
【図４】
0003230166.tif 000006
【図５】
0003230166.tif 000007
【図６】
0003230166.tif 000008
【図７】
0003230166.tif 000009